【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
携帯用演算装置の制御方法であって、
前記携帯用演算装置に関連付けられた第１のディスプレイおよび第２のディスプレイを提供すること、
２つまたはそれ以上のアプリケーションを第１のディスプレイと論理的に関連付けることであって、少なくとも１つのアプリケーションが第１のディスプレイにアクティブ表示され、少なくとも１つのアプリケーションが第１のディスプレイにアクティブ表示されない、前記第１のディスプレイと論理的に関連付けること、
２つまたはそれ以上のアプリケーションを第２のディスプレイと論理的に関連付けることであって、少なくとも１つのアプリケーションが第２のディスプレイにアクティブ表示され、少なくとも１つのアプリケーションが第２のディスプレイにアクティブ表示されない、前記第２のディスプレイと論理的に関連付けること、
前記第１のディスプレイと論理的に関連付けられる前記２つまたはそれ以上のアプリケーションに対応する第１のアプリケーションスタックを確立することであって、前記第１のアプリケーションスタックは前記第１のディスプレイと関連付けられた２つまたはそれ以上のアプリケーションの論理的表現である、前記第１のアプリケーションスタックを確立すること、
前記第２のディスプレイと論理的に関連付けられる任意のアプリケーションに対応する第２のアプリケーションスタックを確立することであって、前記第２のアプリケーションスタックは前記第２のディスプレイと関連付けられた２つまたはそれ以上のアプリケーションの論理的表現である、前記第２のアプリケーションスタックを確立すること、
前記携帯用演算装置のジェスチャセンサでジェスチャ入力を受信すること、
受信に応答してアプリケーションマネージャを表示することを備え、
前記アプリケーションマネージャが前記第１のアプリケーションスタックおよび第２のアプリケーションスタックのグラフィック表示を前記第１のディスプレイの全体ではなく一部分および前記第２のディスプレイの全体ではなく一部分に提供する、方法。
【請求項２】
前記第１のディスプレイが一度に１つのみのアプリケーションを表示するように動作可能であり、前記第２のディスプレイが一度に１つのみのアプリケーションを表示するように動作可能であること、
前記アプリケーションマネージャは、前記アプリケーションマネージャの第１の部分に前記第１のディスプレイと関連付けられる前記２つまたはそれ以上のアプリケーションを表す２つまたはそれ以上のアイコンと、前記アプリケーションマネージャの第２の部分に前記第２のディスプレイと関連付けられる前記２つまたはそれ以上のアプリケーションを表す２つまたはそれ以上のアイコンとを含むこと、
前記アプリケーションマネージャの第１の部分は、前記第１のディスプレイに表示され、前記アプリケーションマネージャの第２の部分は、前記第２のディスプレイに表示されること、
前記アイコンは、前記第１のアプリケーションスタックにおける前記２つまたはそれ以上のアプリケーションの相対位置と前記第２のアプリケーションスタックにおけるアプリケーションの相対位置とに応じて配置されること、
前記アイコンは、対応アプリケーションのスクリーンショット表示を備えることのうちの少なくとも１つを備える請求項１に記載の方法。
【請求項３】
前記方法は、
前記アプリケーションマネージャにおける前記第１のアプリケーションスタックおよび第２のアプリケーションスタックのうち一方からアプリケーションを選択すること、
前記第１のディスプレイおよび第２のディスプレイのうち該当する一方を変更して、前記第１および第２のディスプレイの該当する一方に前記選択されたアプリケーションを描出することをさらに備え、
前記２つまたはそれ以上のアプリケーションの論理的関連付けは、前記アプリケーションマネージャとユーザとの相互作用によって制御可能とされ、
前記方法は、
前記第１および第２のディスプレイの一方のアクティブ表示アプリケーションを備えるアプリケーションを選択すること、
前記アプリケーションを前記第１および第２のディスプレイの他方にドラッグすること、
前記アプリケーションが前記第１および第２のディスプレイの他方のアクティブ表示アプリケーションとなるように、前記第１および第２のディスプレイの他方を変更することをさらに備え、
前記アプリケーションマネージャとの相互作用は、前記１つまたはそれ以上のアプリケーションを表す前記アイコンの操作を含む、請求項２に記載の方法。
【請求項４】
前記第１のディスプレイに表示される前記アプリケーションマネージャの第１の部分から、前記第２のディスプレイに表示される前記アプリケーションマネージャの第２の部分に前記アプリケーションを表すアイコンをドラッグすることによって、前記第１および第２のアプリケーションスタックの一方から、前記第１および第２のアプリケーションスタックの他方へアプリケーションを移動させること、
前記アプリケーションマネージャの第１の部分から前記第２のディスプレイにアプリケーションをドラッグすること、
前記第２のディスプレイを変更して前記アプリケーションを描出すること、
前記アプリケーションマネージャから対応する閉アイコンを選択することによって前記２つまたはそれ以上のアプリケーションのうちいずれかを閉じることをさらに備え、
前記ジェスチャ入力がスプレッドジェスチャであること、および
前記第１のディスプレイは一体ディスプレイの第１の部分を含み、前記第２のディスプレイは一体ディスプレイの第２の部分を含むことのうちの１つまたはそれ以上を備える、請求項３に記載の方法。
【請求項５】
携帯用演算装置であって、
プロセッサと、
第１のスクリーンを表示するように動作可能であり、且つ前記プロセッサと通信動作可能である第１のディスプレイであって、１つまたはそれ以上のアプリケーションが第１のアプリケーションスタックにおける第１のスクリーンと論理的に関連付けられ、前記第１のアプリケーションスタックは、前記第１のスクリーンと関連付けられる前記１つまたはそれ以上のアプリケーションの第１の論理的表現である、前記第１のディスプレイと、
第２のスクリーンを表示するように動作可能であり、且つ前記プロセッサと通信動作可能である第２のディスプレイであって、１つまたはそれ以上のアプリケーションが第２のアプリケーションスタックにおける第２のスクリーンと論理的に関連付けられ、前記第２のアプリケーションスタックは、前記第２のスクリーンと関連付けられる前記１つまたはそれ以上のアプリケーションの第２の論理的表現である、前記第２のディスプレイと、
ジェスチャ入力を受信するように動作可能である少なくとも１つのジェスチャセンサとを備え、
アプリケーションマネージャが、前記ジェスチャ入力の受信に応じて、前記第１のディスプレイおよび第２のディスプレイの両方の一部分に表示されるように、前記プロセッサが、前記第１のディスプレイおよび前記第２のディスプレイのうち少なくとも一方を制御するように動作可能であり、
前記アプリケーションマネージャが、前記第１のアプリケーションスタックおよび第２のアプリケーションスタックのグラフィック表示を表示し、
前記プロセッサは、前記第１のディスプレイの全体ではなく一部分および前記第２のディスプレイの全体ではなく一部分に前記アプリケーションマネージャを描出する、携帯用演算装置。
【請求項６】
前記携帯用演算装置は、スマートフォンを含む、請求項５に記載の携帯用演算装置。
【請求項７】
前記第１のディスプレイおよび第２のディスプレイは、開放位置と閉鎖位置との間で相互に位置合わせすることができる、請求項６に記載の携帯用演算装置。
【請求項８】
前記開放位置にあるとき、前記第１のディスプレイおよび第２のディスプレイは、ユーザの視点から可視である、請求項７に記載の携帯用演算装置。
【請求項９】
前記閉鎖位置にあるとき、前記第１のディスプレイおよび第２のディスプレイの一方のみが、ユーザの視点から可視である、請求項８に記載の携帯用演算装置。